(57)【要約】      （修正有）【課題】臨床検査情報を効果的に一元管理することを可能にした臨床検査情報管理システムを提供する。【解決手段】患者Ａは、保険証Ａ１、診察券Ａ２等を所持している。診療所Ｂには、保険証リーダーＢ１、タッチパネルＰＣＢ２、ＲＦＩＤタグＢ３等を備える。データーセンターＣは、検査マスターＣ１、患者マスターＣ２、検査依頼データＣ３等を備える。多数の医療機関から発生した血液、生体組織、尿等の検体を収集する集荷工程と、集荷された検体とその属性を突き合わせ確認する属性確認工程と、属性確認をした多数の検体を検査センターに発送する搬送工程と、搬送された検体についてその生理学的検査等を行う検査工程と、検査結果の情報を対応する医療機関に伝送する検査情報伝送工程と、前記各工程で発生した全ての情報を即時にかつ一元的に管理する情報管理工程とから構成される【選択図】図１
2015106185.tif 000002
【特許請求の範囲】
【請求項１】
多数の医療機関から発生した血液、生体組織、尿等の検体を収集する集荷工程と、集荷された検体とその属性を突き合わせ確認する属性確認工程と、属性確認をした多数の検体を検査センターに発送する搬送工程と、搬送された検体についてその生理学的検査等を行う検査工程と、検査結果の情報を対応する医療機関に伝送する検査情報伝送工程と、前記各工程で発生した全ての情報を即時にかつ一元的に管理する情報管理工程とから構成されることを特徴とする臨床検査情報管理システム。
【発明の詳細な説明】
【技術分野】
【０００１】
本発明は、医療分野における臨床データ血液、生体組織、尿等の検体の管理システムに係り、特に血液、生態組織、尿等の検体の採取から検査に至るまでの検体の流通および保管状況を管理することによって信頼性の高い検査結果を提供する臨床検査情報管理システムに関する。
【背景技術】
【０００２】
従来、病院、診療所、保健所等の医療機関で採取された血液、生態組織、尿等の検体は、医療機関の名称、患者を特定するための各種識別情報（属性）と臨床検査情報などが貼付された検体が収納容器に入れられ、さらに、配送用の箱に収納されて検体センターに配送される。医療機関では、これら臨床検査情報が被験者台帳にも添付されて管理される。検査センターでは、配送された箱から検体が取り出され検査装置で検査が行なわれ、検査結果が識別情報に従って報告される。検体の配送、回収は、各検査センターの担当員が回収して自社の分析センターに搬入する。又は配送業者に委託されて行われる。
【０００３】
この種の臨床検査情報の管理に関する従来の技術を開示したものとしては、特許文献１をあげることができる。
【先行技術文献】
【特許文献】
【０００４】
【特許文献１】特開２００１−３０６６９２号公報
【発明の開示】
【発明が解決しようとする課題】
【０００５】
検体は医療機関から分析センターまでの搬送途上での保管温度、凍結などにより変質することがある。そのため、搬送手段は温度調節装置を備えているのが普通である。医療機関や、分析センターでの検体の一時的な保管についても温度管理は重要である。また、個々の検体について、医療機関での検体の採取から、検査センターまでの搬送と、検査センターでの保管についての上記臨床検査情報の一元的管理はできていない。
【０００６】
本発明の目的は、上記した臨床検査情報を効果的に一元管理することを可能にした臨床検査情報管理システムを提供することにある。
【課題を解決するための手段】
【０００７】
上記目的を達成するため、本発明は、多数の医療機関から発生した血液、生体組織、尿等の検体を収集する集荷工程と、集荷された検体とその属性を突き合わせ確認する属性確認工程と、属性確認をした多数の検体を検査センターに発送する搬送工程と、搬送された検体についてその生理学的検査等を行う検査工程と、検査結果の情報を対応する医療機関に伝送する検査情報伝送工程と、前記各工程で発生した全ての情報を即時にかつ一元的に管理する情報管理工程とから構成されることを特徴とする。
【発明の効果】
【０００８】
臨床検査情報を即時に、かつ一元的に管理することで、検体の採取、集配及び搬送、保管時での環境管理が可能となり、検体と検査情報の取り違えなどのミスを除去でき、効率のよい臨床検査情報管理システムを提供することができる。
【図面の簡単な説明】
【０００９】
【図１】本発明に係る臨床検査情報管理システムの実施例１の説明図である。
【図２】本発明に係る臨床検査情報管理システムの実施例１の詳細な説明図である。
【発明を実施するための形態】
【００１０】
以下、図面を参照して、本発明に係る臨床検査情報管理システムの実施例を説明する。図１は、本発明に係る臨床検査情報管理システムの実施例１の説明図である。図１において、符号１は所謂ラボ（Ｆ）、２は患者（Ａ）、３は医療機関（ここでは、診療所）（Ｂ）、４はデーターセンター（Ｃ）、５は営業所（Ｅ）、６はモバイルオフィス（Ｄ）を示す。また、図２は、図１に示した臨床検査情報管理システムをさらに詳しく説明する図である。
【００１１】
検体の検査は、図１に示したように、通常、専門の検査会社に外注される。検査会社は、それぞれ各社が依頼発注してくれる診療所に出向いて、検体を収集してくる。この検体の搬送の流れは、Ａ→Ｂ→Ｃ→Ｄ→Ｅ→Ｆの順序となる。上記の順序の内容を図２を参照して説明すると、次のとおりである。なお、図２中にある詳しい説明を参照して本実施例を説明するので、図２中の説明文の繰り返しは最小限とする。
【００１２】
患者Ａは、保険証（Ａ１）、診察券（Ａ２）等を所持している。診療所Ｂには、保険証リーダー（Ｂ１）、タッチパネルＰＣ（Ｂ２）、ＲＦＩＤタグ（Ｂ３）等を備える。データーセンターＣは、検査マスター（Ｃ１）、患者マスター（Ｃ２）、検査依頼データ（Ｃ３）等をＩＴで収集し備える。モバイルオフィスＤは、モバイルＰＣ（Ｄ１）、ＲＦＩＤタグ用プリンター（Ｄ２）、ハンディープリンター（Ｄ３）等を備える。営業所Ｅは、検体本人確認装置（Ｅ１）、ＲＦＩＤ一括読取機（Ｅ２）等を備える。ラボＦは、ＲＦＩＤ一括読取機（Ｅ２）等を備える。
【００１３】
Ａ：患者が窓口で診察券Ａ２または保険証Ａ１を提示する。
Ｂ：患者の診察券Ａ２または保険証Ａ１を受付のスキャナーで読み取る。即時に漢字ＯＣＲソフトでデータ化される。
【００１４】
この情報は、診療所院内ネットで医師のタッチパネルＰＣ（Ｂ２）に伝送される。
医師は、タッチパネルに表示された検査依頼書に必要事項をタッチして検査項目を指定する。
医師が指示した項目と患者属性が院内ネットで看護師に伝えられる。
【００１５】
看護師は、本人確認を口頭で行なう（○○さんですね）。
検体（血液、尿、便等）を採取し、検体ビンに医師から送られてきた情報、即ち、検査項目及び患者属性をラベルプリンタで印字する。
ラベルには、マイクロチップが埋め込まれている。このチップに上記の情報を書き込む。この際、チップの品質確認（書込み、読取り）を行い、不良品を排除する（不良品率は０．０３％）。
ラベルを検体ビンに貼る。
これらの一連の作業内容は、全てデーターセンターＣにリアルタイムで伝送される。
集配者は、データーセンターからリアルタイムで集配に関する情報を受け取る。「ｗｈｅｒｅ（どこの）」，「ｗｈｏ（誰が）」、「ｗｈａｔ（何を）」、「ｈｏｗ  ｍａｎｙ（いくつ）」、など、依頼者（発注）の全データを知ることができる。  これにより、集配者（Ｄのオペレータ）はどのような順序で集配するかを決めることができる。
集配者は、その検体を受け取る際、ハンディターミナルでチップ付ラベルを読み、本数を数え確認のために受け取り書を発行する。
【００１６】
モバイルオフィオスＤは、依頼された全ての検体を営業所に集める。
営業所Ｅは、
検体とラベル（２種類）を照合する。
検体と院内用ラベル、依頼（外注）ラベルと医師が指示した依頼書の内容の全てと突き合わせられる。
照合時に院内ラベルは検査ラボでの誤読を避けるためスミで消す。
確認済の検体は、その検査内容及び難易度などにより、それぞれに適合した検査ラボに振り分けられ、そこに配送される。
【００１７】
ラボＦは、検体を依頼書（データーセンターからの情報）に合わせて検査を行なう。検査は自動化されている。
【００１８】
以上説明した実施例により、次のような効果が得られる。
タッチパネル操作で、ペーパーレス化ができる。
人の作業における誤りが発生しにくく、また誤りの発見が可能になる。
依頼情報作成が全てＩＴ化されるため、誤りが発生し難い。
検体と情報の照合がＩＴ化で自動化される。
営業所での作業が半減できる。
受付順で並べられているはずの検体の順序に誤りがあっても、正しく対応できる。
すでにＩＴ化されている所でも発生している検体と依頼情報の不整合（アンマッチイング）が排除される。
診療及び投薬と配送の全体の流れが全てデータ化される。
このデータを活用して、患者、医師、検査結果から使用された薬の効果がわかる。
このことは、検体検査におけるビッグデータの活用であり、治療において絶大な経済効果をもたらす。
【産業上の利用可能性】
【００１９】
臨床検査情報に限らず、同様の検体検査搬送システムに適用できる。
【符号の説明】
【００２０】
１：所謂ラボ（Ｆ）
２：患者（Ａ）
３：医療機関（ここでは、診療所）（Ｂ）
４：データセンター（Ｃ）
５：営業所（Ｅ）
６：モバイルオフィス（Ｄ）
【図１】
2015106185.tif 000003
【図２】
2015106185.tif 000004